(57)【特許請求の範囲】
【請求項１】
アンテナアームと、前記アンテナアームに直交して配列される複数のアンテナ素子と、前記アンテナアームの下方に配置される略Ｕ字状に形成された補助アームとを備えた八木式アンテナにおいて、
前記アンテナアームの外側に長手方向に沿って設けられる複数の補助アーム係止溝と、
前記アンテナアームの外周縁に沿って回動可能に設けられる一部が開口してなる略円筒状のアンテナアーム挿通部、及び該アンテナアーム挿通部の開口部に連接して設けられ前記補助アームの先端部を挟持する補助アーム挟持部からなる補助アーム取付金具と、
アンテナアーム挿通部の略中央頂部から一方の側部方向に約９０°の範囲で設けられる長穴と、
前記アンテナアームの前記アンテナアーム挿通部が装着される部位の略頂部に該アンテナアーム挿通部の長穴内に位置するように設けられて前記補助アーム取付金具の回動範囲を規制するストッパと、
前記アンテナアーム挿通部の両側縁部内側に前記アンテナアームの補助アーム係止溝に対応して設けられ、前記補助アーム取付金具が前記アンテナ素子に対して垂直となる位置に回動された状態で前記補助アーム係止溝に嵌合される複数の突部と、
前記アンテナアームの補助アーム係止溝に前記各突部が嵌合された状態で、前記補助アームを挟持している前記補助アーム挟持部の両側部間を締め付けて固定する固定手段とを具備したことを特徴とする補助アームの取付構造を有する八木式アンテナ。
【発明の詳細な説明】
【技術分野】
【０００１】
本発明は、アンテナアーム及び補助アームを備えた八木式アンテナに係り、特にアンテナアームに補助アームを取付ける補助アームの取付構造を有する八木式アンテナに関する。
【背景技術】
【０００２】
従来の多素子ＵＨＦアンテナは、屋外において支柱に取付ける際、アンテナ本体の主軸となるアンテナアームの下方に略Ｕ字状に形成された補助アームを設け、この補助アームに支柱を取付けている（例えば、特許文献１参照。）。
【０００３】
従来のＵＨＦアンテナは、アンテナアームに対して補助アームを補助アーム取付金具により回動可能に取付けている。すなわち、工場で製作したＵＨＦアンテナを梱包して出荷する際、梱包体積を小さくするため補助アームをアンテナ素子と同一平面となるように位置させ、その後、アンテナを設置する際に補助アームをアンテナアームの下方に位置するように、すなわちアンテナ素子に対して垂直となるように９０°回動し、蝶ナットを締め付けて固定するようにしている。
【０００４】
従来の補助アーム取付金具は、図７及び図８に示すように構成されている。図７は補助アームを補助アーム取付金具によりアンテナアームに固定した状態を示す斜視図、図８は補助アーム取付金具の構成を示し、（ａ）は右側面図、（ｂ）は正面図、（ｃ）は下面図である。
【０００５】
図７において、１１はアンテナアームで、このアンテナアーム１１には複数の導波素子１２が装着されると共に、図示しないが放射素子及び反射素子が装着される。そして、上記アンテナアーム１１の下側には、略Ｕ字状に形成された補助アーム１３が補助アーム取付金具１４により取付けられる。補助アーム取付金具１４は、アンテナアーム１１の外周面に沿って位置する略円形状のアンテナアーム挿通部１５と、該アンテナアーム挿通部１５の下側開放端に垂直方向に連接されて補助アーム１３の先端部を挟持する補助アーム挟持部１６とにより構成される。補助アーム挟持部１６の内側面には、頂部にアンテナアーム１１の挿通方向に沿ったリブ（小突起）１７が形成されると共に、補助アーム挟持部１６との境界近傍には、左右２つずつの側面突起１８Ｒ１、１８Ｒ２、１８Ｌ１、１８Ｌ２が形成される。
【０００６】
また、アンテナアーム１１の表面には、補助アーム取付金具１４のアンテナアーム挿通部１５による左右挟持位置に対応して、それぞれ導波素子１２と水平な方向の棒状突起部１９Ｒ、１９Ｌが設けられる。
【０００７】
そして、上記アンテナアーム挿通部１５の側面には、左右一方の縁の中央部に上記導波素子１２と補助アーム１３との垂直性を保持する状態でアンテナアーム１１表面の棒状突起部１９Ｒ、１９Ｌにそれぞれ嵌合される略半円形状の突起嵌合切欠き部２１Ｒ、２１Ｌが形成される。
【０００８】
また、補助アーム挟持部１６の左右側面には、ネジ孔２２Ｌ、２２Ｒが設けられ、蝶ナット２３による貫通締付けが行われる。
【０００９】
上記の構成において、補助アーム取付金具１４のアンテナアーム挿通部１５をアンテナアーム１１に装着し、該アンテナアーム挿通部１５の一方の縁に形成された突起嵌合切欠き部２１Ｒ、２１Ｌを、アンテナアーム１１の表面に形成された棒状突起部１９Ｒ、１９Ｌにそれぞれ嵌合させ、アンテナアーム１１に対する補助アーム取付金具１４の回転ずれを阻止すると共に、導波素子１２に対して補助アーム取付金具１４が垂直となるように保持する。
【００１０】
そして、補助アーム取付金具１４の補助アーム挟持部１６に補助アーム１３の先端部を挟持させ、そのネジ孔２２Ｒ、２２Ｌ及び補助アーム１３を貫通させて蝶ナット２３を締め付けて固定する。
【００１１】
また、蝶ナット２３を締め付けることにより、アンテナアーム挿通部１５内側面に形成されたリブ１７や側面突起１８Ｒ１、１８Ｒ２、１８Ｌ１、１８Ｌ２がアンテナアーム１１の各対応する表面に押圧固定される。
【先行技術文献】
【特許文献】
【００１２】
【特許文献１】特開平８−１３９５０７号公報
【発明の概要】
【発明が解決しようとする課題】
【００１３】
上記従来の補助アーム取付金具１４は、アンテナアーム挿通部１５の一方の縁に形成された突起嵌合切欠き部２１Ｒ、２１Ｌを、アンテナアーム１１の表面に形成された棒状突起部１９Ｒ、１９Ｌにそれぞれ嵌合させ、蝶ナット２３を締め付けて固定することにより、アンテナアーム１１に対する回転ずれを阻止しているが、略半円形状の突起嵌合切欠き部２１Ｒ、２１Ｌをアンテナアーム１１に形成した棒状突起部１９Ｒ、１９Ｌに嵌合させているだけでは十分な結合力を得ることが困難である。
【００１４】
また、アンテナアーム挿通部１５の内側面にリブ１７や側面突起１８Ｒ１、１８Ｒ２、１８Ｌ１、１８Ｌ２を形成しているが、これらは単にアンテナアーム１１の表面に押圧固定されるだけであるので、大きな力が加わったときにずれ易い。
【００１５】
このため上記従来の補助アーム取付金具１４では、アンテナアーム１１に装着されているアンテナ素子の片側、すなわちアンテナアーム１１の左側あるいは右側に位置するアンテナ素子に対して例えば積雪等により大きな加重が加わると、アンテナアーム１１に形成された棒状突起部１９Ｒ、１９Ｌとアンテナアーム挿通部１５に形成された突起嵌合切欠き部２１Ｒ、２１Ｌとの嵌合が外れてアンテナアーム１１が回転し、傾いてしまうおそれがある。
【００１６】
本発明は上記の課題を解決するためになされたもので、アンテナアームに対して補助アームを強固に固定でき、アンテナアームの左側あるいは右側に位置する片側のアンテナ素子に対して例えば積雪等により大きな加重が加わった場合でも、アンテナアームとの間の回転ずれを確実に防止することができる補助アームの取付構造を有する八木式アンテナを提供することを目的とする。
【課題を解決するための手段】
【００１７】
本発明は、アンテナアームと、前記アンテナアームに直交して配列される複数のアンテナ素子と、前記アンテナアームの下方に配置される略Ｕ字状に形成された補助アームとを備えた八木式アンテナにおいて、前記アンテナアームの外側に長手方向に沿って設けられる複数の補助アーム係止溝と、前記アンテナアームの外周縁に沿って回動可能に設けられる一部が開口してなる略円筒状のアンテナアーム挿通部、及び該アンテナアーム挿通部の開口部に連接して設けられ前記補助アームの先端部を挟持する補助アーム挟持部からなる補助アーム取付金具と、アンテナアーム挿通部の略中央頂部から一方の側部方向に約９０°の範囲で設けられる長穴と、前記アンテナアームの前記アンテナアーム挿通部が装着される部位の略頂部に該アンテナアーム挿通部の長穴内に位置するように設けられて前記補助アーム取付金具の回動範囲を規制するストッパと、前記アンテナアーム挿通部の両側縁部内側に前記アンテナアームの補助アーム係止溝に対応して設けられ、前記補助アーム取付金具が前記アンテナ素子に対して垂直となる位置に回動された状態で前記補助アーム係止溝に嵌合される複数の突部と、前記アンテナアームの補助アーム係止溝に前記各突部が嵌合された状態で、前記補助アームを挟持している前記補助アーム挟持部の両側部間を締め付けて固定する固定手段とを具備したことを特徴とする。
【発明の効果】
【００１８】
本発明によれば、アンテナアームに対して補助アームを強固に固定でき、アンテナアームの左側あるいは右側に位置する片側のアンテナ素子に対して例えば積雪等により大きな加重が加わった場合でも、アンテナアームと補助アーム取付金具との間の回転ずれを確実に防止することができる。
【図面の簡単な説明】
【００１９】
【図１】本発明の実施例１に係るＵＨＦアンテナの全体の構成を示す斜視図である。
【図２】（ａ）は同実施例１に係るＵＨＦアンテナの平面図、（ｂ）は同図（ａ）のＡ−Ａ線矢視断面図である。
【図３】図２（ｂ）におけるＢ部（補助アーム取付金具部分）を拡大して示す図である。
【図４】同実施例１における補助アーム取付金具を横方向から見た図である。
【図５】同実施例１におけるアンテナアームに補助アームを補助アーム取付金具により取付けた状態を示す要部斜視図である。
【図６】同実施例１において、導波素子と同一平面にある補助アームを導波素子と垂直となるように回動している途中の状態を示す要部平面図である。
【図７】補助アームを従来の補助アーム取付金具によりアンテナアームに取付けた状態を示す要部斜視図である。
【図８】従来の補助アーム取付金具の構成を示し、（ａ）は右側面図、（ｂ）は正面図、（ｃ）は下面図である。
【発明を実施するための形態】
【００２０】
以下、本発明の実施の形態について図面を参照して詳細に説明する。
【実施例１】
【００２１】
図１は本発明の実施例１に係る八木式ＵＨＦアンテナ３０の全体の構成を示す斜視図、図２（ａ）はＵＨＦアンテナ３０の平面図、図２（ｂ）は同図（ａ）の補助アーム取付金具部分におけるＡ−Ａ線矢視断面図である。
【００２２】
図１及び図２において、３１はアンテナアームで、このアンテナアーム３１には、給電部３２と共に放射素子３３が設けられる。また、アンテナアーム３１には、放射素子３３の前方に複数の導波素子３４が所定の間隔で設けられると共に、放射素子３３の後方にスクリーン反射器３５が設けられる。このスクリーン反射器３５は、反射器アーム３６に複数の反射素子３７が設けられており、反射器アーム３６をアンテナアーム３１と平行するように折り畳めるようになっている。
【００２３】
そして、上記アンテナアーム３１には、略Ｕ字状に形成された補助アーム３８が補助アーム取付金具５０により取付けられる。補助アーム３８は、アンテナアーム３１の下方において、補助アーム取付金具５０により約９０°回動可能に設けられるもので、その詳細については後述する。上記補助アーム３８の中央部には、アンテナ取付金具４１が設けられる。ＵＨＦアンテナ３０は、補助アーム３８に設けられたアンテナ取付金具４１によりアンテナ支柱４２に取付けられる。
【００２４】
次に、上記アンテナアーム３１及び補助アーム取付金具５０の詳細について説明する。
【００２５】
図３は図２（ｂ）におけるＢ部を拡大して示す断面図、図４は補助アーム取付金具５０を取出して横方向から見た図である。図５はアンテナアーム３１に補助アーム３８を補助アーム取付金具５０により取付けた状態を示す要部斜視図である。
【００２６】
アンテナアーム３１は、図３及び図５に示すように円筒状のパイプの左右両側が平面状に形成され、その平面部４５ａ、４５ｂの上部及び下部に約９０°の角度で凹ませた補助アーム係止溝４６ａ〜４６ｄが設けられる。また、アンテナアーム３１には、補助アーム取付金具５０が装着される部分の略頂部にストッパ４７が設けられる。このストッパ４７としては例えばネジが用いられ、アンテナアーム３１に螺着される。
【００２７】
一方、補助アーム取付金具５０は、図３ないし図５に示すようにアンテナアーム３１の外周面に沿って位置する略円形状のアンテナアーム挿通部５１と、該アンテナアーム挿通部５１の下側に垂直方向に連接されて補助アーム３８の先端部を挟持する補助アーム挟持部５２とにより構成される。上記アンテナアーム挿通部５１は下側が開口しており、この開口端部に上記補助アーム挟持部５２が連接される。
【００２８】
上記アンテナアーム挿通部５１の左右両側縁の内側には、アンテナアーム３１に形成された補助アーム係止溝４６ａ〜４６ｄに対応する位置に突部５３ａ〜５３ｄ、５４ａ〜５４ｄが設けられる。また、アンテナアーム挿通部５１の外周には、中央の頂部から一方の側に約９０°の範囲で長穴５５が設けられる。補助アーム取付金具５０をアンテナアーム３１に装着した際、長穴５５内にストッパ４７を位置させ、ストッパ４７が長穴５５に沿って移動できる範囲内で補助アーム取付金具５０を回動できるようにしている。
【００２９】
また、補助アーム挟持部５２の両側面には、中央部にネジ挿通孔５６が設けられ、このネジ挿通孔５６には補助アーム３８を貫通してネジ５７が挿入され、その先端に蝶ナット５８が螺着される。補助アーム３８の両先端部には、上記ネジ５７を挿通するためのネジ挿通孔（図示せず）が設けられている。
【００３０】
上記の構成において、補助アーム取付金具５０のアンテナアーム挿通部５１をアンテナアーム３１に装着し、長穴５５内にアンテナアーム３１に設けたストッパ４７を位置させる。また、補助アーム取付金具５０の補助アーム挟持部５２に補助アーム３８の先端を挿入し、補助アーム挟持部５２に設けたネジ挿通孔５６及び補助アーム３８に設けたネジ挿通孔にネジ５７を挿入し、その先端に蝶ナット５８を螺着する。
【００３１】
蝶ナット５８を緩めた状態では、アンテナアーム３１に対して補助アーム取付金具５０を約９０°の範囲、すなわち、アンテナアーム挿通部５１に設けた長穴５５内をアンテナアーム３１に設けたストッパ４７が移動できる範囲内で回動することが可能である。補助アーム取付金具５０を回動する場合、アンテナアーム挿通部５１に設けた突部５３ａ〜５３ｄがアンテナアーム３１に設けた補助アーム係止溝４６ａ〜４６ｄから外れ、アンテナアーム３１の外周面に摺接しながら移動する。
【００３２】
上記ＵＨＦアンテナ３０を工場で製作して梱包する場合、蝶ナット５８を緩めた状態で、補助アーム３８を補助アーム取付金具５０と共に回動して導波素子３４と略同一平面となる状態に保持する。なお、スクリーン反射器３５も放射素子３３と平行となるように折り畳んだ状態とする。
【００３３】
そして、ＵＨＦアンテナ３０を実際に設置する場合、図６に示すように導波素子３４と略同一平面に保持されている補助アーム３８をアンテナアーム３１の下方に位置するように、すなわち導波素子３４に対して垂直となるように９０°回動する。図６は、導波素子３４と同一平面にある補助アーム３８を垂直となるように回動している途中の状態を示す要部平面図である。
【００３４】
補助アーム３８をアンテナアーム３１の下方に位置するように回動すると、アンテナアーム挿通部５１に設けた長穴５５の一方の端部、すなわち頂部側の端部がアンテナアーム３１に設けたストッパ４７に当接して補助アーム取付金具５０が停止する。このとき補助アーム３８は、導波素子３４に対して垂直の状態となり、アンテナアーム３１に設けられた補助アーム係止溝４６ａ〜４６ｄ内に補助アーム取付金具５０に設けられた突部５３ａ〜５３ｄ、５４ａ〜５４ｄが嵌入される。
【００３５】
この状態で、補助アーム挟持部５２のネジ挿通孔５６に挿入されたネジ５７に対して蝶ナット５８を締め付け、補助アーム取付金具５０のアンテナアーム挿通部５１をアンテナアーム３１に固定すると共に、補助アーム３８の両先端部を補助アーム取付金具５０の補助アーム挟持部５２に固定する。
【００３６】
上記実施例１で示したように、アンテナアーム３１の外周縁に軸方向に沿って設けた複数の補助アーム係止溝４６ａ〜４６ｄに、補助アーム取付金具５０のアンテナアーム挿通部５１の左右両側縁の内側に設けた突部５３ａ〜５３ｄ、５４ａ〜５４ｄを嵌入させ、補助アーム取付金具５０の補助アーム挟持部５２に装着した蝶ナット５８を締め付けることにより、補助アーム取付金具５０のアンテナアーム挿通部５１をアンテナアーム３１に固定するように構成しているので、アンテナアーム３１に対して補助アーム取付金具５０を強固に固定することができる。このためアンテナアーム３１の左側あるいは右側に位置する片側のアンテナ素子に対して例えば積雪等により大きな加重が加わった場合でも、アンテナアーム３１と補助アーム取付金具５０との間の回転ずれを確実に防止することができる。
【００３７】
また、蝶ナット５８を緩めた状態では、補助アーム３８及び補助アーム取付金具５０をストッパ４７が長穴５５内を移動できる範囲内で任意に回動できるので、製作したＵＨＦアンテナ３０を梱包する場合には、補助アーム３８を補助アーム取付金具５０と共に回動して導波素子３４と略同一平面となる状態に保持することができる。
【００３８】
なお、本発明は、上記実施の形態そのままに限定されるものではなく、実施段階ではその要旨を逸脱しない範囲で構成要素を変形して具体化できるものである。
【符号の説明】
【００３９】
３０…ＵＨＦアンテナ、３１…アンテナアーム、３２…給電部、３３…放射素子、３４…導波素子、３５…スクリーン反射器、３６…反射器アーム、３７…反射素子、３８…補助アーム、４１…アンテナ取付金具、４２…アンテナ支柱、４５ａ、４５ｂ…アンテナアームの平面部、４６ａ〜４６ｄ…補助アーム係止溝、４７…ストッパ、５０…補助アーム取付金具、５１…アンテナアーム挿通部、５２…補助アーム挟持部、５３ａ〜５３ｄ、５４ａ〜５４ｄ…突部、５５…長穴、５６…ネジ挿通孔、５７…ネジ、５８…蝶ナット。
【図１】
0005572535.tif 000002
【図２】
0005572535.tif 000003
【図３】
0005572535.tif 000004
【図４】
0005572535.tif 000005
【図５】
0005572535.tif 000006
【図６】
0005572535.tif 000007
【図７】
0005572535.tif 000008
【図８】
0005572535.tif 000009